(57)【要約】      （修正有）【課題】機能的に視線誘導効果を有すると共に、街路照明等設置されていない場所に設置されても、夜間において優れた視線誘導効果を発現する防音壁に用いられる防音パネルを提供する。【解決手段】防音パネル１の上部に設けた上枠材３Ａに再帰性反射層を設け、その再帰性反射層に透明性を有する樹脂バインダーに再帰性反射材を含有させているため、夜間照明がない場所に設置された場合にも、自動車のヘッドライトを再帰反射して、設置方向に連続して視線誘導効果を発現させることができ、更には、昼間においては、透明性を有する樹脂バインダーを光が透過することで、上枠材３Ａを含む防音壁を構成する部材に施した都市景観に適合した色彩を視認できると共に、夜間においては、再帰性反射層に含まれる再帰性反射材よって自動車のヘッドライトが再帰性反射することで、防音パネル１の視認性を向上させることができる。【選択図】図１
2007297780.tif 000002
【特許請求の範囲】
【請求項１】
車道と歩道の境界に沿って設置される防音パネルであって、防音パネルの上部に設けられた上枠材に再帰性反射層が設けられ、前記再帰性反射層は透明性を有する樹脂バインダーに再帰性反射材が含有されてなることを特徴とする防音パネル。
【発明の詳細な説明】
【技術分野】
【０００１】
本発明は、主として車道と歩道の境界に沿って設置され、車両による騒音公害を防止するための防音パネルに関するものである。
【背景技術】
【０００２】
従来、街路等の一般道路においては、歩道利用者や沿線住民に対して車両騒音を防止するために、高さ８００〜１０００ｍｍ程度の防音パネルを、車道と歩道の境界や中央分離帯に沿って設置することがある。この種の防音パネルとして、例えば特許文献１には、道路に沿って所定の間隔で並立された支柱と、前記支柱の間に設置された防音パネルと、前記支柱及び防音パネルの頂部に配置された笠木とから成り、前記笠木は、前記防音パネルの上端に取り付けられており、この笠木によって透光板が垂直に固定されていることを特徴とする道路用防音壁において、前記笠木は、並立する複数の支柱、及び支柱の間に設置された複数の防音パネルの頂部へ連続状態に配置されていることを特徴とする防音壁が開示されている。
【０００３】
【特許文献１】特開２００２−３１７４０９号公報
【発明の開示】
【発明が解決しようとする課題】
【０００４】
しかしながら、特許文献１に記載される従来の防音壁では、防音パネルの上端に取付けられた笠木を、並立する複数の支柱、及び支柱の間に設置された複数の防音パネルの頂部へ連続状態に配置することにより、車道を走る自動車の運転者から見ると、目視に鮮明な笠木が一直線状に続く様をもって、視線の誘導効果を向上させようとしたものであるため、外観面での視線誘導効果は期待できなくもないが、機能的に視線誘導効果を向上させるものではなく、自動車の運転者によっては、極めて一般的な笠木が付いているだけに過ぎないと見做されると言った懸念が残る。更に、夜間においては、街路照明がない場所に設置された場合、視線誘導効果は得られない。
【０００５】
本発明は上記の如き課題を解決するためになされたものであり、機能的に視線誘導効果を有すると共に、街路照明等設置されていない場所に設置されても、夜間において優れた視線誘導効果を発現する防音壁に用いられる防音パネルを提供せんとするものである。
【課題を解決するための手段】
【０００６】
上記目的を達成するため、本発明は以下のような構成としている。すなわち、本発明に係る防音パネルは、車道と歩道の境界に沿って設置される防音パネルであって、防音パネルの上部に設けられた上枠材に再帰性反射層が設けられ、前記再帰性反射層は透明性を有する樹脂バインダーに再帰性反射材が含有されてなることを特徴とするものである。
【発明の効果】
【０００７】
本発明に係る防音壁によれば、防音パネルの上部に設けた上枠材に再帰性反射層を設け、その再帰性反射層に透明性を有する樹脂バインダーに再帰性反射材を含有させているため、夜間照明がない場所に設置された場合にも、自動車のヘッドライトを再帰反射して、設置方向に連続して視線誘導効果を発現させることができる。
【０００８】
更には、平成１５年７月に策定された「美しい国づくり政策大綱」に基づき、国土交通省が策定した景観形成ガイドライン「都市整備に関する事業」（案）に記載されている都市景観に合う色彩を防音壁を構成する部材に施して景観性を向上させる場合、昼間においては、透明性を有する樹脂バインダーを光が透過することで、上枠材を含む防音壁を構成する部材に施した都市景観に適合した色彩を視認できると共に、夜間においては、前記再帰性反射材によって自動車のヘッドライトが再帰性反射することで、防音パネルの視認性を向上させることができる。
【発明を実施するための最良の形態】
【０００９】
本発明に係る最良の実施の形態について、図面に基づき以下に具体的に説明する。図１は、本発明に係る防音パネルを設置した状態を示す正面図、図２は図１に示す防音パネルの上部に上枠材が載置された状態を示す断面図、図３は本発明に係る防音パネルの別の実施形態を示すものであって、（イ）は斜視図、（ロ）は部分断面図である。
【００１０】
１は防音パネルであって、ガラスウールやロックウール等の吸音材２が内蔵されると共に、その車道側に位置する前面板１１には通孔１２が穿設されることで吸音機能が具備され、歩道側に位置するパンチング加工等による通孔１２が穿設されていない背面板１３により遮音機能が具備された吸音パネルで形成されている。３Ａは防音パネル１の上端面に載置されている長尺の上枠材であり、その断面は底面が平坦で、上面は中高で弓なりになっている蒲鉾形となされている。
【００１１】
そして、車道と歩道の境界に沿って設置された複数のＨ型鋼の支柱４間に一段の防音パネル１が２段に差し渡され、その上端面に上枠材３Ａが載置されて低層防音壁が形成されている。この上枠材３Ａは、上面が蒲鉾形となされているため、歩行者が手摺として用いることができると共に、防音パネル１の角張った上部形状を補完し意匠性を向上させている。また、Ｈ型鋼の支柱４上方からの見栄えを向上させ、また防音パネル１と支柱４間の僅かな隙間に子供が手等を入れて怪我すること防止するため、支柱４の上端にはその断面を覆う支柱キャップ４１が取付けられている。
【００１２】
尚、防音パネル１において、断面略コ字状の背面板１３の外側に被せて前面板１１を取付けており、防音パネル１と上枠材３Ａとの間には、前面板１１の肉厚分の高さだけ隙間が生じるため、その隙間には嵩上げ部材５を取付けて、防音パネル１の上端面を略平らにしている。
【００１３】
上枠材３Ａの表面には、透明性を有する樹脂バインダーに再帰性反射材を含有した再帰性反射層６が設けられており、昼間においては、透明性を有する樹脂バインダーを光が透過することで、上枠材３Ａの外面に施した都市景観に合う色彩の下地層７の色が視認できることにより、周りの構築物との調和が図られると共に、夜間においては、再帰性反射材によって自動車のヘッドライトが再帰反射することで、低層防音壁の視認性を向上させることができ、更に、上枠材３Ａが防音パネル１の設置方向に略連続して設けられているため、前方の道路線形を示して視線誘導効果を奏する。
【００１４】
再帰性反射層６は、再帰性反射材としての再帰反射性を有するガラスビーズを、透明性を有し且つ耐候性の高いアクリル系樹脂からなる塗料に含有し、上枠材３Ａの表面に塗布することにより形成されている。尚、透明性を有し且つ耐候性が高い樹脂バインダーであれば、アクリル系樹脂に限定されるものではなく、ウレタン樹脂系やフッ素樹脂系、シリコン系等の樹脂バインダーを適宜用いることができる。
【００１５】
再帰性反射層６に含有するガラスビーズは、石英ガラス、ソーダ石灰ガラス、ホウケイ酸ガラス、鉛ガラス等をビーズ状に成形したものを用いることができ、その粒径は６０〜１００μｍ程度のものが好適であり、その屈折率は用いる樹脂バインダーの種類によって適宜選択すればよい。また、上枠材３Ａに設けられた再帰性反射層６において、ガラスビーズは細密に充填せず隙間を置いて配置するのがよい。細密に充填すると、再帰性反射層６の下に施された下地層７の色彩が視認し難くなるためである。
【００１６】
図３において、８は透光性防音板であって、枠体９と透光板１０とからなる。枠体９は、長さ方向に沿った開口部９１を有するアルミニウム等の金属や繊維強化合成樹脂等からなる長尺枠材を、開口部９１を内側にして四角形状に枠組されたものである。透光板１０はガラス板又は透明な合成樹脂板からなり、この透光板１０の周縁部が開口部９１の中に挿入されている。
【００１７】
枠体９のうち、上部に位置する上枠材３Ｂの表面には、上記の再帰性反射層６が形成されており、図１に示す防音パネルと同様、透光性防音板８はＨ型鋼の支柱間に一段に差し渡されて低層防音壁を形成する。従って、透光性防音板８の上枠材３Ｂに形成された再帰性反射層６によって、自動車のヘッドライトが再帰反射することで、低層防音壁の視認性を向上させることができると共に、上枠材３Ｂが透光性防音板８の設置方向に略連続して設けられているため、前方の道路線形を示して視線誘導効果を奏する。
【産業上の利用可能性】
【００１８】
本発明に係る防音パネルは、防音パネルの上部に設けた上枠材に再帰性反射層を設け、その再帰性反射層に透明性を有する樹脂バインダーに再帰性反射材を含有させているため、夜間照明がない場所に設置された場合にも、自動車のヘッドライトを再帰反射して、設置方向に連続して視線誘導効果を発現させることができる防音パネルとして好適に用いられる。
【図面の簡単な説明】
【００１９】
【図１】本発明に係る防音パネルを設置した状態を示す正面図である。
【図２】図１に示す防音パネルの上部に上枠材が載置された状態を示す断面図である。
【図３】本発明に係る防音パネルの別の実施形態を示すものであって、（イ）は斜視図、（ロ）は部分断面図である。
【符号の説明】
【００２０】
１    防音パネル
１１  前面板
１２  通孔
１３  背面板
２    吸音材
３Ａ、３Ｂ    上枠材
４    支柱
４１  支柱キャップ
５    嵩上げ部材
６    再帰性反射層
７    下地層
８    透光性防音板
９    枠体
９１  開口部
１０  透光板
【図１】
2007297780.tif 000003
【図２】
2007297780.tif 000004
【図３】
2007297780.tif 000005